(57)【要約】      （修正有）【課題】  水密性等に優れ、また使い勝手が良好な戸を提供する。【解決手段】  調整構造は、片開き戸の下框１０の吊元側框寄りに位置する固定金具としての支点金具２と、下框１０の戸先側框１２寄りに位置する調整金具ピン３０と、この調整金具ピン３０の位置を調整する調整金具３と、調整金具３の調整金具ピン３０に他端が着脱自在に取付けられた調整部材４を備えている。また、調整部材４に固定された２組のスライダー本体５、５と、これらのスライダー本体５、５にスライド可能にガイドされ、且つ、バネに抗して下降するスライダー５１，５１と、このスライダー５１，５１に取付けられた壁材６と、この壁材６に取付けられた水密材７と、壁材６の吊元側框寄りに取付けられた壁サイドキャップ８と、この壁サイドキャップ８に当接して、壁材６を押下げるブロックから構成されている。取付構造は、さらに、着脱ブロック２３を加えて構成されている。【選択図】      図３
2005054429.tif 000002
【特許請求の範囲】
【請求項１】
戸枠に回動自在に取付けられた戸の下框に対する水密材付き壁材の調整構造にあって、
前記壁材の長手方向に配置されると共に、一端が支点とされ、他端が上下動自在に取付けられる調整部材と、
前記調整部材の他端に調整用金具ピンを係合させ、この調整用金具ピンの上下位置を調整する調整用ネジの操作口を室内に臨ませた調整金具を備えたことを特徴とする戸の水密材の調整構造。
【請求項２】
戸枠に回動自在に取付けられた戸の下框に対する水密材付き壁材の取付構造にあって、
前記壁材の長手方向に配置されると共に、一端が支点とされ、他端が上下動自在に取付けられる調整部材と、
前記戸側に、前記調整部材の一端を係合させる固定金具及び前記調整部材の他端の上下位置を調整する調整金具を備え、
前記調整部材の一端を前記固定金具に、前記調整部材の他端を前記調整金具の調整用金具ピンに着脱自在に係合させたことを特徴とする戸の水密材の取付構造。
【発明の詳細な説明】
【技術分野】
【０００１】
本発明は、水密性等を必要とする空間と、それ以外の空間の間に配置される戸の水密材の調整及び取付構造に関する。
【背景技術】
【０００２】
バリアフリーの見地から、浴室の床面と脱衣室の床面とが同一又は略同一のレベルに構成されている場合、脱衣室側にゴム等の止水材を立ち上げて止水性を確保すること等により、脱衣室側に水が浸入するのを防いでいる。
【０００３】
しかしながら、戸枠や戸の対角が不良であること等に起因して、戸枠に戸を取付けた場合に戸枠の下枠と戸の下框間に許容範囲を超えた隙間が出来てしまう場合があり、水密構造に悪影響を与えるおそれがあった。逆に、戸枠の下枠と戸の下框間の隙間が狭くなりすぎて、使い勝手が悪くなってしまう場合もあった。
このような不都合を解消するため、出願人は、特願２００２−１９５５３号(出願日平成１４年１月２９日)で、戸の下框の取合調整構造を開示している。この出願は、本発明出願時には公開されておらず、先行技術文献情報には該当しない。
【発明の開示】
【発明が解決しようとする課題】
【０００４】
本発明は上記出願と同様に、上記問題点を解決するためになされたもので、戸の水密材の調整構造、さらに水密材付き壁材を簡単に着脱できる戸の水密材の取付構造を開示し、水密性等に優れ、また使い勝手が良好な戸を提供することを目的とする。
【課題を解決するための手段】
【０００５】
上記課題を解決するため、本発明は、戸枠に回動自在に取付けられた戸の下框に対する水密材付き壁材の調整構造にあって、前記壁材の長手方向に配置されると共に、一端が支点とされ、他端が上下動自在に取付けられる調整部材と、前記調整部材の他端に調整用金具ピンを係合させ、この調整用金具ピンの上下位置を調整する調整用ネジの操作口を室内に臨ませた調整金具を備えたことを特徴とする戸の水密材の調整構造とした(請求項１に記載の発明)。
【０００６】
上記課題を解決するため、本発明は、戸枠に回動自在に取付けられた戸の下框に対する水密材付き壁材の取付構造にあって、前記壁材の長手方向に配置されると共に、一端が支点とされ、他端が上下動自在に取付けられる調整部材と、前記戸側に、前記調整部材の一端を係合させる固定金具及び前記調整部材の他端の上下位置を調整する調整金具を備え、前記調整部材の一端を前記固定金具に、前記調整部材の他端を前記調整金具の調整用金具ピンに着脱自在に係合させたことを特徴とする戸の水密材の取付構造とした (請求項２に記載の発明)。
【発明の効果】
【０００７】
本発明によれば、水密材付き壁材の一端に対する他端の調整角度を、調整用ネジの操作口よりドライバー等で簡単に調整できる。
特に、戸枠に前記戸を閉じる際に、前記水密材付き壁材の水密材が、戸枠の下枠に密着可能になるが、この段階で調整用ネジの操作口よりドライバー等で簡単に、且つ、正確に水密材付き壁材の調整が可能となる。
【０００８】
また、戸の下框に対する水密材付き壁材の取付構造は、前記調整部材の一端を前記固定金具に、前記調整部材の他端を前記調整金具の調整用金具ピンに着脱自在に係合させた構造であるので、下框の清掃等が簡単になる。
【発明を実施するための最良の形態】
【０００９】
本発明の水密材の調整構造(以下、単に調整構造という)は、調整金具の調整用ネジを回転させることで、戸の吊元側に設けられた固定金具を中心に上下動する水密材付き壁材を下框に備えている。
この壁材は、戸が戸枠から開放された状態では、スライダー装置のバネの付勢力により、上昇される。
また前記壁材は、前記戸が前記戸枠を閉鎖した状態では、前記ブロックにより、バネの付勢力に抗する状態で前記戸枠の下枠に押付けられ、壁材の下部に取付けられた水密材が戸の下框と戸枠の下枠間の水密性を図っている。
よって、前記戸により前記戸枠を閉鎖した時点で、前記調整金具の調整用ネジを回転させて、壁材の回動角度を調整できるので、前記下枠に対する水密材の密着性を精度よく調整できる。
【００１０】
本発明の水密材の取付構造(以下、単に取付構造という)は、スライダー装置を介して水密材付き壁材を取付けた調整部材の両端の形状が、前記調整金具の調整金具ピン及び固定金具に係合され易く形成されている。
よって、戸の下框に対し、水密材付き壁材は、着脱自在に係合可能となり、清掃等が簡単になる。
【実施例１】
【００１１】
図１は実施例１に係る調整構造及び取付構造を備えた片開き戸の正面図、図２は同戸の要部斜視図、図３は同戸の要部透視斜視図、図４は同分解斜視図である。
これらの図は、脱衣室側から見た正面図、要部斜視図、透視図、分解斜視図である。
なお、これらの各図において、同一の構成は同一の符号を付して、重複した説明を省略する。
【００１２】
図１〜図４に示したように、前記調整構造は、片開き戸１の下框１０の吊元側框１１寄りに位置する固定金具としての支点金具２と、この支点金具２に対向し、且つ、前記下框１０の戸先側框１２寄りに位置する調整金具ピン３０と、この調整金具ピン３０の位置を調整する調整金具３と、前記支点金具２に一端が着脱自在に取付けられ、前記調整金具３の調整金具ピン３０に他端が着脱自在に取付けられた調整部材４を備えている。また、前記調整部材４に固定された２組のスライダー本体５、５と、これらのスライダー本体５、５にスライド可能にガイドされ、且つ、バネ５０、５０に抗して下降するスライダー５１，５１と、このスライダー５１，５１に取付けられた壁材６と、この壁材６に取付けられた水密材７と、前記壁材６の吊元側框寄りに取付けられた壁サイドキャップ８と、この壁サイドキャップ８に当接して、前記壁材６を押下げるブロック９から構成されている。
前記取付構造は、さらに、脱着ブロック２３を加えて構成されている。
【００１３】
前記片開き戸１は、浴室等の水密性を必要とする空間と、脱衣室間に配置される戸であって、前記下框１０、前記吊元側框１１、前記戸先側框１２及び上框１３を備えている。
その他、防音、断熱等の気密性を必要とする空間と、それ以外の空間の間に配置される戸でもよい。
【００１４】
前記支点金具２は、前記調整部材４の一端を着脱自在、且つ、摺動自在に取付けるもので、前後の円柱部２０、２１と、これらの円柱部２０、２１より細径の円柱部２２を備えている。
【００１５】
前記調整金具３は、図５に示したように、前記調整金具ピン３０を取付けて上下方向にスライド可能なスライド片３１と、このスライド片３１をスライド可能に保持する保持片３２と、前記スライド片３１と前記保持片３２間を螺着し、且つ、前記スライド片３１に上下方向のスライド力を伝達する調整用ネジ３３と、前記スライド片３１と前記保持片３２間を付勢するバネ３４と、前記前記スライド片３１と前記保持片３２の上部を化粧するカバー３５と、前記ネジ３３の頭を上方に臨ませる操作口３６からなる。
この調整金具３は、前記操作口３６が脱衣室側の空間に臨むように框１２に固定されており、前記調整用ネジ３３を操作し易いようになっている。そして、前記調整用ネジ３３をドライバで回すことにより、約１０ミリメートルの範囲で、前記調整金具ピン３０を上下動させることができるようになっている。  
【００１６】
前記調整部材４は、図６(Ａ)に示したように、その両端に横開き状で、且つ、Ｕ字状の切かき部４０、４０が形成され、その間にネジ孔４１、４１がそれぞれ形成されている。
前記調整部材４の長手方向の寸法は、前記調整金具３の前記調整金具ピン３０の最大上幅、最大下幅の状態で、前記切かき部４０、４０が、前記調整金具ピン３０、前記支点金具２に係合するサイズであればよい。
また、前記切かき部４０、４０の開口底部４２，４２間の寸法は、前記調整部材４の略水平状態で、前記開口底部４２，４２に、前記調整金具ピン３０、前記支点金具２の円柱部２０、２１が当たる程度のサイズであればよい。
また、前記切かき部４０、４０の開口径の寸法は、前記調整金具ピン３０及び前記支点金具２の円柱部２０、２１が摺動可能なサイズであればよい。
なお、前記切かき部４０、４０の厚さは、細径の円柱部２２に入り込むことができる寸法であればよい。
【００１７】
スライダー装置を構成する前記スライダー本体５、５、バネ５０、５０及びスライダー５１，５１は、それぞれ同一に形成されているので、一方の前記スライダー本体５等に他方を代表させて説明する。
図７に示したように、前記スライダー本体５は、前記調整部材４の前記ネジ孔４１、４１に対応するネジ固定片５a、５aと、傾斜状に凸設されたガイド部５ｂ、５ｂと、前記バネ５０の一端を係合する係合片５ｃと、前記スライダー５１のスライドを規制する規制片５ｄを備えている。
前記スライダー５１は、前記ガイド部５ｂ、５ｂに沿ってスライドする傾斜状のスライド部５１aと、前記バネ５０の他端を係合する係合部５１ｂと、前記規制片５ｄに対応する規制片５１ｃと、前記スライド部５１aの上部に形成され、前記壁材６を取付ける取付部５１ｄを備えている。
【００１８】
上記構成のスライダー装置では、図８（A）及び（Ｂ）に示したように、通常時には、前記バネ５０が、前記スライダー５１を付勢した状態で、前記規制片５ｄが前記規制片５１ｃを規制し、前記取付部５１ｄが前記スライダー本体５より突出している。
そして、前記取付部５１ｄに上から外力が加わることで、前記スライダー５１が前記バネ５０に抗して、スライドされるようになっている。
【００１９】
即ち、前記戸１が戸枠１Aを閉鎖した状態では、前記ブロック９により、前記バネ５０の付勢力に抗して、壁材６が前記戸枠１Aの下枠１０Aに押付けられ、壁材６の水密材７が前記下框１０と戸枠１Aの下枠１０Ａ間の水密性を図っている。
一方、戸１が戸枠１Aから開放された状態では、スライダー装置のバネ５０の付勢力により、前記壁材６が上昇するようになっている。
よって、戸１の開放時には、前記水密材７が脱衣室等の床面を擦ることがなく、戸１の開放がスムースに行われる。
また、前記ブロック９によって前記壁材６に加えられる外力の方向と、前記凸設されたガイド部５ｂ、５ｂと、前記スライド部５１aの傾斜方向は、略一致していることから、上記スライド装置によるスライドが円滑に行われる。
【００２０】
前記壁材６は、図９に示したように、その上面６０に前記スライダー５１の取付部５１ｄを取付ける取付孔６１と、その下部６２に前記水密材７を取付ける凹部６３と、その吊元側框１１寄りの側面に前記壁サイドキャップ８を取付ける取付部６４を備えている。
前記壁材６の長手方向及び短手方向の寸法は、図２等に示したように、前記下框１０と略同一に形成されている。
【００２１】
前記水密材７は、例えば硬質ゴム等で構成され、前記壁材６と略同一の長さで、前記凹部６３に嵌合されている。
前記脱着ブロック２３は、図３のように、下開き状のＵ字状切かき部２３aと、この切かき部２３a上方の足部２３ｂと、その足部２３ｂの上方の摘み部２３ｃからなる。
【００２２】
次に、以上のように構成された取付構造による壁材６の取付方法について説明する。
前記調整部材４に、前記スライダー５１と、ネジ５０がセットされたスライダー本体５、５をネジ止めし、前記スライダー５１に前記壁材６を取付けて水密材付き壁材を構成する(図１０参照)。
そして、前記調整部材４の前記Ｕ字状の切かき部４０を前記支点金具２の細径の円柱部２２に落し込み、他方の前記Ｕ字状の切かき部４０を前記調整金具ピン３０に係合させる。
その後、前記支点金具２側の前記Ｕ字状の切かき部４０を前記支点金具２の円柱部２１に係合させる。
次に、脱着ブロック２３を前記支点金具２の前記細径の円柱部２２に落し込めばよい。
最後に下框アタッチ１０aを取付ける。
なお、掃除等のため、前記壁材６を取外すときは、上記取付手順と逆手順で行えばよい。
【００２３】
次に、上記のように構成された調整構造の使用例を説明する。
まず、前記戸１を閉鎖すると、上述のように前記ブロック９により、前記バネ５０の付勢力に抗して、前記壁材６が前記戸枠１Aの下枠１０Aに押付けられる。
この状態で、前記戸１の開閉をチェックし、その開閉が重い場合には、前記操作口３６を介して調整用ネジ３３を時計回りに回せばよい。その結果、前記壁材６が上方に持ち上げられる。
一方、前記戸１の開閉をチェックの結果、下枠１０Aと水密材７間に隙間があれば、前記調整用ネジ３３を反時計回りに回せばよい。その結果、前記壁材６が下方に下げられる。
よって、前記戸１により前記戸枠１Aを閉鎖した時点で、前記調整金具３の調整用ネジ３３を回転させて、壁材６の回動角度を調整できるので、前記下枠１０Aに対する水密材７の密着性を精度よく調整できる。
【実施例２】
【００２４】
上記実施例１では、前記調整部材４の両端には、それぞれ横開き状で、且つ、Ｕ字状の切かき部４０、４０が形成されていたが、前記支点金具２に係合させる端部に、図１１のようにダルマ形孔４３を形成しても、同様の作用効果を奏する。
この場合、脱着用クリップ４４を組み込めば、前記脱着ブロック２３は不要になる。
【実施例３】
【００２５】
上記戸１は、片開き戸であったが、図１２のように折り戸に上記調整構造及び取付構造を組み込んでもよい。
この場合、折り戸１００は、前記戸１と略同一に構成され、折と戸１０１の構成は、中心線ＣＬを中心に前記折り戸１００と対称的に上記調整構造及び取付構造の各部材が配置されている。
【００２６】
上記各実施例では、調整部材に固定されたスライダー装置を介して水密材付き壁材を取付けているが、そのスライダー装置は、各実施例の構成に限定されるものではなく、どのような構成でもよい。
また、スライダー装置を省いて、水密材付き壁材を、直接、調整部材に取付けてもよい。
【図面の簡単な説明】
【００２７】
【図１】実施例１にかかる戸の正面図、
【図２】同要部斜視図、
【図３】同要部透視図、
【図４】同分解斜視図、
【図５】実施例１にかかる戸の調整構造を構成する調整金具の正面図、
【図６】(A)  同調整構造を構成する調整部材及びスライダー装置の斜視図、  (Ｂ)   同調整構造を構成する調整部材及びスライダー装置の斜視図、
【図７】(A)  同スライダー装置の分解斜視図、  (Ｂ)  同スライダー装置の分解斜視図、
【図８】(A)  同スライダー装置の作動説明図、  (Ｂ)  同スライダー装置の作動説明図
【図９】実施例１にかかる戸の調整構造を構成する壁材の裏面斜視図、
【図１０】実施例１にかかる戸の調整構造を構成する壁材の側面図、
【図１１】実施例２にかかる戸の調整構造を構成する壁材の正面図
【図１２】実施例３にかかる折れ戸の要部正面図である。
【符号の説明】
【００２８】
１  片開き戸
１A  戸枠                            １０  下框
１０A  下枠
１１  吊元側框                        １３上框
１２  戸先側框
２  支点金具                          ２０、２１  円柱部
２２  細径の円柱部
２３  脱着ブロック                    ２３a  Ｕ字状切かき部
２３ｂ  足部                          ２３ｃ  摘み部
３  調整金具                          ３０  調整金具ピン
３１  スライド片                      ３２  保持片
３３  調整用ネジ                      ３４  バネ
３５  カバー                          ３６  操作口
４  調整部材                          ４０  Ｕ字状切かき部
４１  ネジ孔                          ４２  開口底部
４３  ダルマ形孔                      ４４  脱着用クリップ
５  スライダー本体                    ５a  ネジ固定片
５ｂ  ガイド部                        ５ｃ  係合片
５ｄ  規制片
５０  バネ                            ５１  スライダー
５１  スライダー                      ５１a  スライド部
５１ｂ  係合部                        ５１ｃ  規制片
５１ｄ  取付部
６  壁材（水密材付き壁材）
６０  上面                        ６１  取付孔
６２  下部                        ６３  凹部
６４  取付部
７  水密材
８  壁サイドキャップ                  
９  ブロック        
１００  １０１  折り戸
【図１】
2005054429.tif 000003
【図２】
2005054429.tif 000004
【図３】
2005054429.tif 000005
【図４】
2005054429.tif 000006
【図５】
2005054429.tif 000007
【図６】
2005054429.tif 000008
【図７】
2005054429.tif 000009
【図８】
2005054429.tif 000010
【図９】
2005054429.tif 000011
【図１０】
2005054429.tif 000012
【図１１】
2005054429.tif 000013
【図１２】
2005054429.tif 000014